(57)【要約】    【課題】  再生時に明欠陥が発生しても、誤ったディフェクト信号が生成されてしまうのを未然に防止すること。    【解決手段】  本発明では、記録媒体(4)から読込んだ入力信号(S38)を用いてディフェクト信号(S42)を生成するディフェクト信号生成回路(3)において、前記入力信号(S38)の上昇時及び下降時における前記入力信号(S38)に対する追従性が異なる第１及び第２の信号検出回路(56,57)を有するとともに、これら第１及び第２の信号検出回路(56,57)で検出された第１及び第２の検出信号(S39,S41)を比較することによってディフェクト信号(S42)を生成することにした。特に、前記第１の信号検出回路(56)として前記入力信号(S38)に対する追従性が高い第１のピークホールド回路を用いるとともに、前記第２の信号検出回路(57)として前記入力信号(S38)に対する追従性が低い第２のピークホールド回路を用いることにした。【選択図】      図６
2005050483.tif 000002
【特許請求の範囲】
【請求項１】
記録媒体から読込んだ入力信号を用いてディフェクト信号を生成するディフェクト信号生成回路において、
前記入力信号に対して前記入力信号の上昇時及び下降時における追従性が異なる第１及び第２の信号検出回路を有するとともに、これら第１及び第２の信号検出回路で検出された第１及び第２の検出信号を比較することによってディフェクト信号を生成することを特徴とするディフェクト信号生成回路。
【請求項２】
前記第１の信号検出回路として前記入力信号に対する追従性が速い第１のピークホールド回路を用いるとともに、前記第２の信号検出回路として前記入力信号に対する追従性が遅い第２のピークホールド回路を用いることを特徴とする請求項１に記載のディフェクト信号生成回路。
【請求項３】
前記第１の信号検出回路は、前記入力信号に対する追従性が速い第１のピークホールド回路と、前記入力信号に対する追従性が速い第１のボトムホールド回路と、前記第１のピークホールド回路での検出信号と前記第１のボトムホールド回路での検出信号との差を検出する第１の差分回路とを有し、前記第２の信号検出回路は、前記入力信号に対する追従性が遅い第２のピークホールド回路と、前記入力信号に対する追従性が遅い第２のボトムホールド回路と、前記第２のピークホールド回路での検出信号と前記第２のボトムホールド回路での検出信号との差を検出する第２の差分回路とを有することを特徴とする請求項１に記載のディフェクト信号生成回路。
【請求項４】
光ディスクから読込んだ入力信号を用いてディフェクト信号を生成するディフェクト信号生成回路を有する光ディスク記録再生装置において、
前記ディフェクト信号生成回路は、前記入力信号に対して前記入力信号の上昇時及び下降時における追従性が異なる第１及び第２の信号検出回路を有するとともに、これら第１及び第２の信号検出回路で検出された第１及び第２の検出信号を比較することによってディフェクト信号を生成することを特徴とする光ディスク記録再生装置。
【発明の詳細な説明】
【技術分野】
【０００１】
本発明は、ディフェクト信号生成回路及び同回路を有する光ディスク記録再生装置に関するものである。
【背景技術】
【０００２】
近年、大量のデータを記録することができる大容量の記録媒体として、光ディスクが広く使用されている。
【０００３】
この光ディスクに記録されたデータは、光ディスク再生装置を用いて光ディスクから読込んだ入力信号を信号処理回路で処理することによって再生される。
【０００４】
その際に、光ディスク再生装置は、光ディスクから読込んだ入力信号からトラッキング制御信号やフォーカス制御信号などの各種制御信号を生成するとともに、光ディスク上の欠陥を示すディフェクト信号を生成し、これらの制御信号やディフェクト信号に基づいて光ディスク再生装置の内部を制御している。
【０００５】
かかるディフェクト信号を生成するためのディフェクト信号生成回路としては、図14に示す構造のものが知られている（たとえば、特許文献１参照）。
【０００６】
すなわち、従来のディフェクト信号生成回路101は、図14に示すように、第１のピークホールド回路102、第２のピークホールド回路103、レベル調整回路104、及びコンパレータ回路105で構成していた。
【０００７】
ここで、第１のピークホールド回路102は、入力信号S101に対する追従性が速い、すなわち、入力信号S101の上昇時及び下降時において入力信号S101の変化に短時間で追従できる回路構成となっており、入力信号S101とほぼ同一の検出信号S102を出力するようになっている。
【０００８】
一方、第２のピークホールド回路103は、入力信号S101に対する追従性が遅い、すなわち、入力信号S101の上昇時においては入力信号S101の変化に短時間で追従できるものの、入力信号S101の下降時においては入力信号S101の変化に所定時間を要して追従する回路構成となっており、入力信号S101とほぼ同様に上昇するものの、入力信号S101よりも緩慢に下降する検出信号S103を出力するようになっている。
【０００９】
また、レベル調整回路104は、第２のピークホールド回路103で検出された検出信号S103を１／ｎに分圧する回路であり、検出信号S103を１／ｎに分圧した検出信号S104を出力するようになっている。
【００１０】
また、コンパレータ回路105は、第１のピークホールド回路102で検出された検出信号S102と第２のピークホールド回路103で検出された検出信号S104とを比較し、検出信号S102のほうが大きい場合には「Ｌ」レベルの信号をディフェクト信号S105として出力する一方、検出信号S102のほうが小さい場合には「Ｈ」レベルの信号をディフェクト信号S105として出力するようになっている。
【００１１】
そして、ディフェクト信号生成回路101は、光ピックアップ装置を用いて光ディスクから読出された入力信号S101を第１及び第２のピークホールド回路102,103に入力し、光ディスク上に欠陥がない場合には、検出信号S102のほうが検出信号S104よりも大きくなることから、ディフェクト信号S105として「Ｌ」レベルの信号を出力し、一方、光ディスク上に欠陥がある場合には、検出信号S102のほうが検出信号S104よりも小さくなることから、ディフェクト信号S105として「Ｈ」レベルの信号を出力するようになっている（図15〜図17参照）。
【特許文献１】特開２０００−９０４４６号公報
【発明の開示】
【発明が解決しようとする課題】
【００１２】
ところが、上記従来のディフェクト信号生成回路101にあっては、ディスク上の欠陥の種類によっては正確にディフェクト信号S105を生成することができない場合があった。
【００１３】
すなわち、ディスク上の欠陥としては、暗欠陥、インタラプション、明欠陥と呼ばれるものがある。
【００１４】
ここで、暗欠陥は、データ読込み時にディスク表面に付着したごみの影響でディスクからの光の反射量が著しく小さくなる欠陥である（図15(a)参照）。
【００１５】
また、インタラプションは、データ書込み時に所定のデータが記録されなかったためにデータ読込み時にディスクからの反射量が一定値となる欠陥である（図16(a)参照）。
【００１６】
また、明欠陥は、データ書込み時にディスク表面に付着したごみの影響で過大な振幅の信号が記録されてしまいデータ読込み時にディスクからの光の反射量が著しく大きくなる欠陥である（図17(a)参照）。
【００１７】
これらの欠陥のうち、暗欠陥の場合には、図15に示すように、欠陥部分で検出信号S102が検出信号S104よりも小さくなるために（図15(b)参照）、欠陥部分で正確なディフェクト信号S105が生成される（図15(c)参照）。
【００１８】
しかしながら、インタラプションの場合には、図16に示すように、欠陥部分でも検出信号S102が検出信号S104よりも大きくなってしまい（図16(b)参照）、欠陥部分でもディフェクト信号S105が「Ｌ」レベルの信号となってしまい、正確なディフェクト信号S105を生成することができない（図16(c)参照）。
【００１９】
また、明欠陥の場合には、図17に示すように、欠陥部分でも検出信号S102が検出信号S104よりも大きくなってしまい（図17(b)参照）、欠陥部分でもディフェクト信号S105が「Ｌ」レベルの信号となってしまい、しかも、欠陥部分を通過後に検出信号S102が検出信号S104よりも小さくなってしまい（図17(b)参照)、欠陥部分通過後にディフェクト信号S105が「Ｈ」レベルの信号となってしまい、不正確なディフェクト信号S105が生成されてしまう（図17(c)参照）。
【００２０】
このように、従来のディフェクト信号生成回路101では、ディスク上の暗欠陥に対してのみ有効に機能し、インタラプションや明欠陥に対しては正確なディフェクト信号を生成することができなかった。
【００２１】
これは、従来においては、一般ユーザーが光ディスクを記録媒体として用いる場合、光ディスクへのデータの記録は量産工場のクリーンルーム内で行われ、データの再生だけを一般ユーザーが行うといった再生専用での使用が大部分を占めていたため、データ書込み時の不具合に起因するインタラプションや明欠陥が発生する頻度が非常に小さく、実用上は問題とならなかった。
【００２２】
しかしながら、近年においては、一般ユーザーが大量のデータを自ら書込むことができる記録媒体として、ＣＤ−ＲやＤＶＤ−Ｒなどの追記型光ディスクやＣＤ−ＲＷやＤＶＤ−ＲＷなどの書換え型光ディスクが広く使用されるようになってきたために、データ書込み時にディスク上にごみが付着するなどの不具合によってインタラプションや明欠陥が発生する頻度が高くなり、これらの欠陥に対しても正確にディフェクト信号を生成することができないと、実用上問題となるおそれがあった。
【課題を解決するための手段】
【００２３】
そこで、請求項１に係る本発明では、記録媒体から読込んだ入力信号を用いてディフェクト信号を生成するディフェクト信号生成回路において、前記入力信号に対して前記入力信号の上昇時及び下降時における追従性が異なる第１及び第２の信号検出回路を有するとともに、これら第１及び第２の信号検出回路で検出された第１及び第２の検出信号を比較することによってディフェクト信号を生成することにした。
【００２４】
また、請求項２に係る本発明では、前記請求項１に係る本発明において、前記第１の信号検出回路として前記入力信号に対する追従性が速い第１のピークホールド回路を用いるとともに、前記第２の信号検出回路として前記入力信号に対する追従性が遅い第２のピークホールド回路を用いることにした。
【００２５】
また、請求項３に係る本発明では、前記請求項１に係る本発明において、前記第１の信号検出回路は、前記入力信号に対する追従性が速い第１のピークホールド回路と、前記入力信号に対する追従性が速い第１のボトムホールド回路と、前記第１のピークホールド回路での検出信号と前記第１のボトムホールド回路での検出信号との差を検出する第１の差分回路とを有し、前記第２の信号検出回路は、前記入力信号に対する追従性が遅い第２のピークホールド回路と、前記入力信号に対する追従性が遅い第２のボトムホールド回路と、前記第２のピークホールド回路での検出信号と前記第２のボトムホールド回路での検出信号との差を検出する第２の差分回路とを有することにした。
【００２６】
また、請求項４に係る本発明では、光ディスクから読込んだ入力信号を用いてディフェクト信号を生成するディフェクト信号生成回路を有する光ディスク記録再生装置において、前記ディフェクト信号生成回路は、前記入力信号に対して前記入力信号の上昇時及び下降時における追従性が異なる第１及び第２の信号検出回路を有するとともに、これら第１及び第２の信号検出回路で検出された第１及び第２の検出信号を比較することによってディフェクト信号を生成することにした。
【発明の効果】
【００２７】
そして、本発明では、以下に記載する効果を奏する。
【００２８】
すなわち、請求項１に係る本発明では、記録媒体から読込んだ入力信号を用いてディフェクト信号を生成するディフェクト信号生成回路において、前記入力信号の上昇時及び下降時における前記入力信号に対する追従性が異なる第１及び第２の信号検出回路を有するとともに、これら第１及び第２の信号検出回路で検出された第１及び第２の検出信号を比較することによってディフェクト信号を生成することにしているため、再生時に明欠陥が発生しても、誤ったディフェクト信号が生成されてしまうのを未然に防止することができる。
【００２９】
また、請求項２に係る本発明では、第１の信号検出回路として前記入力信号に対する追従性が速い第１のピークホールド回路を用いるとともに、第２の信号検出回路として前記入力信号に対する追従性が遅い第２のピークホールド回路を用いることにしているため、簡単な回路でありながら、再生時に明欠陥が発生しても、誤ったディフェクト信号が生成されてしまうのを未然に防止することができる。
【００３０】
また、請求項３に係る本発明では、第１の信号検出回路は、入力信号に対する追従性が速い第１のピークホールド回路と、入力信号に対する追従性が速い第１のボトムホールド回路と、第１のピークホールド回路での検出信号と第１のボトムホールド回路での検出信号との差を検出する第１の差分回路とを有し、第２の信号検出回路は、入力信号に対する追従性が遅い第２のピークホールド回路と、入力信号に対する追従性が遅い第２のボトムホールド回路と、第２のピークホールド回路での検出信号と第２のボトムホールド回路での検出信号との差を検出する第２の差分回路とを有することにしているため、再生時に発生するおそれがある暗欠陥、インタラプション、明欠陥に対してディフェクト信号を正確に生成することができる。
【００３１】
また、請求項４に係る本発明では、光ディスクから読込んだ入力信号を用いてディフェクト信号を生成するディフェクト信号生成回路を有する光ディスク記録再生装置において、前記ディフェクト信号生成回路は、前記入力信号の上昇時及び下降時における前記入力信号に対する追従性が異なる第１及び第２の信号検出回路を有するとともに、これら第１及び第２の信号検出回路で検出された第１及び第２の検出信号を比較することによってディフェクト信号を生成することにしているため、再生時に明欠陥が発生しても、誤ったディフェクト信号が生成されてしまうのを未然に防止することができ、これにより、光ディスク記録再生装置の誤動作を防止することができる。
【発明を実施するための最良の形態】
【００３２】
本発明に係る光ディスク記録再生装置は、記録媒体としての光ディスクに記録された情報を再生するための再生回路を内蔵している。
【００３３】
この再生回路は、単一の可変Ａ／Ｄ変換回路と単一の信号生成回路とを有している。
【００３４】
ここで、可変Ａ／Ｄ変換回路は、記録媒体上の異なる第１及び第２の記録領域から読込んだ第１及び第２のアナログ信号をそれぞれ異なるサンプリングレートで第１及び第２のデジタル信号に変換するための回路である。
【００３５】
この可変Ａ／Ｄ変換回路は、Ａ／Ｄ変換回路に第１及び第２のアナログ信号を第１及び第２のスイッチを介して接続するとともに、これら第１及び第２のスイッチを異なるサンプリングレートで断続する制御回路で制御するように構成することができる。
【００３６】
また、信号生成回路は、第１又は第２のデジタル信号を入力信号としてそれぞれ異なる第１又は第２の再生信号を生成するための回路である。
【００３７】
この信号生成回路は、入力信号であるデジタル信号の上昇時及び下降時における前記入力信号に対する追従性が異なる第１及び第２の信号検出回路を有するとともに、これら第１及び第２の信号検出回路で検出された第１及び第２の検出信号を比較することによって再生信号を生成するように構成することができる。
【００３８】
たとえば、信号生成回路は、第１の信号検出回路として入力信号に対する追従性が速い（高い）第１のピークホールド回路を用いるとともに、第２の信号検出回路として入力信号に対する追従性が遅い（低い）第２のピークホールド回路を用いた構成としてもよい。
【００３９】
また、信号生成回路は、第１の信号検出回路として、入力信号に対する追従性が速い（高い）第１のピークホールド回路と、入力信号に対する追従性が速い（高い）第１のボトムホールド回路と、第１のピークホールド回路での検出信号と第１のボトムホールド回路での検出信号との差を検出する第１の差分回路とを有し、一方、第２の信号検出回路として、入力信号に対する追従性が遅い（低い）第２のピークホールド回路と、入力信号に対する追従性が遅い（低い）第２のボトムホールド回路と、第２のピークホールド回路での検出信号と第２のボトムホールド回路での検出信号との差を検出する第２の差分回路とを有する構成としてもよい。
【００４０】
第１及び第２の記録領域としては、たとえば、データ記録領域やバーストカッティング領域などがある。すなわち、第１の記録領域をデータ記録領域とするとともに、第２の記録領域をバーストカッティング領域として、第１の再生信号としてディフェクト信号を再生するとともに、第２の再生信号としてバーストカッティング領域信号を再生することができる。
【００４１】
このように、信号生成回路として、入力信号の上昇時及び下降時における入力信号に対する追従性が異なる第１及び第２の信号検出回路を有するとともに、これら第１及び第２の信号検出回路で検出された第１及び第２の検出信号を比較することによって再生信号を生成することにした場合には、再生時に明欠陥が発生しても、再生信号として誤ったディフェクト信号が生成されてしまうのを未然に防止することができる。
【００４２】
特に、第１の信号検出回路として入力信号に対する追従性が高い第１のピークホールド回路を用いるとともに、第２の信号検出回路として入力信号に対する追従性が低い第２のピークホールド回路を用いることにした場合には、簡単な回路でありながら、再生時に明欠陥が発生しても、再生信号として誤ったディフェクト信号が生成されてしまうのを未然に防止することができ、これにより、光ディスク記録再生装置の誤動作を防止することができる。
【００４３】
また、第１の信号検出回路として、入力信号に対する追従性が高い第１のピークホールド回路と、入力信号に対する追従性が高い第１のボトムホールド回路と、第１のピークホールド回路での検出信号と第１のボトムホールド回路での検出信号との差を検出する第１の差分回路とを有することとし、一方、第２の信号検出回路として、入力信号に対する追従性が低い第２のピークホールド回路と、入力信号に対する追従性が低い第２のボトムホールド回路と、第２のピークホールド回路での検出信号と第２のボトムホールド回路での検出信号との差を検出する第２の差分回路とを有することにした場合には、再生時に発生するおそれがある暗欠陥、インタラプション、明欠陥に対して再生信号であるディフェクト信号を正確に生成することができる。
【００４４】
また、記録媒体に記録された情報を再生するための再生回路において、記録媒体上の異なる第１及び第２の記録領域から読込んだ第１及び第２のアナログ信号をそれぞれ異なるサンプリングレートで第１及び第２のデジタル信号に変換するための単一の可変Ａ／Ｄ変換回路と、前記第１又は第２のデジタル信号を入力信号としてそれぞれ異なる第１又は第２の再生信号を生成するための単一の信号生成回路とを有することにした場合には、第１の再生信号を生成するための回路と第２の再生信号を生成するための回路とを別個独立に設ける必要がなくなり、これらの回路を単一の回路で構成することができるので、第１及び第２の再生信号を生成する再生回路の回路規模を縮小することができ、これにより、再生回路を内蔵した光ディスク再生装置の製造に要する労力や時間やコストを削減することができる。
【００４５】
特に、第１の記録領域をデータ記録領域とすることによって第１の再生信号としてディフェクト信号を再生するとともに、第２の記録領域をバーストカッティング領域とすることによって第２の再生信号としてバーストカッティング領域信号を再生することにした場合には、ディフェクト信号生成回路とバーストカッティング領域信号生成回路とを別個独立に設ける必要がなくなり、これらの回路を単一の回路で構成することができるので、ディフェクト信号及びバーストカッティング領域信号を生成する再生回路の回路規模を縮小することができる。
【００４６】
また、可変Ａ／Ｄ変換回路を、Ａ／Ｄ変換回路に第１及び第２のアナログ信号を第１及び第２のスイッチを介して接続するとともに、これら第１及び第２のスイッチを異なるサンプリングレートで断続する制御回路で制御するように構成することにした場合には、可変Ａ／Ｄ変換回路の回路規模を縮小することができるので、第１及び第２の再生信号を生成する再生回路の回路規模をより一層縮小することができる。
【００４７】
以下に、本発明に係るディフェクト信号生成回路を有する再生回路の具体的な構成について、図面を参照しながら説明する。なお、本発明に係るディフェクト信号生成回路は、光ディスク再生装置や光ディスク記録再生装置などに代表される記録媒体に記録された情報を再生する再生回路を有する各種電子機器に適用できるものである。
【００４８】
再生回路１は、図１に示すように、単一の可変Ａ／Ｄ変換回路２と単一の信号生成回路３とで構成している。ここで、再生回路１においては、信号生成回路３が本発明に係るディフェクト信号生成回路となっている。
【００４９】
可変Ａ／Ｄ変換回路２は、図２に示す記録媒体４の異なる第１及び第２の記録領域5,6から読込んだ第１及び第２のアナログ信号S1,S2をそれぞれ異なるサンプリングレートで第１及び第２のデジタル信号S3,S4に変換するための回路である。
【００５０】
ここで、図２に示すように、第１の記録領域５としては、記録媒体４に書き込まれた通常のデータが記録されているデータ記録領域を用い、一方、第２の記録領域６としては、通常のデータを記録するデータ記録領域とは別個に設けられた個々の記録媒体４を識別するためのデータを記録するバーストカッティング領域（ＢＣＡ：Burst Cutting Area）と呼ばれる領域を用いている。なお、バーストカッティング領域は、記録媒体４のセンターホール７の周辺に同心円状に形成されており、ＰＥ変調（Phase Encoding変調）されたデータをＲＺ（Return to Zero）方式で符号化したバーコードデータとして記録されている。
【００５１】
また、信号生成回路３は、可変Ａ／Ｄ変換回路２で生成した第１又は第２のデジタル信号S3,S4を入力信号としてそれぞれ異なる第１又は第２の再生信号S5,S6を生成するための回路である。
【００５２】
以下に、可変Ａ／Ｄ変換回路２と信号生成回路３の具体的な構成について説明する。
【００５３】
まず、可変Ａ／Ｄ変換回路２の構成について説明すると、図３に示すように、可変Ａ／Ｄ変換回路２は、１入力１出力型のＡ／Ｄ変換回路８のアナログ入力部にチャネル０入力端子９を第１のスイッチ10を介して接続するとともに、同じアナログ入力部にチャネル１入力端子11〜チャネル８入力端子18を第２のスイッチ19及びチャネル毎に設けたスイッチ20〜27を介して接続している。
【００５４】
また、可変Ａ／Ｄ変換回路２は、Ａ／Ｄ変換回路８のデジタル出力部にチャネル０出力端子28〜チャネル８出力端子36をスイッチ37〜45及びレジスタ46〜54を介して接続している。
【００５５】
さらに、可変Ａ／Ｄ変換回路２は、Ａ／Ｄ変換回路８及び全てのスイッチ10,19〜27,37〜45に制御回路55を接続している。
【００５６】
この可変Ａ／Ｄ変換回路２は、汎用性を高めるために９個のチャネルを有しており、チャネル０入力端子９に第１のアナログ信号S1を入力するとともに、チャネル１入力端子11に第２のアナログ信号S2を入力して、チャネル０出力端子28から第１のデジタル信号S3を出力するとともに、チャネル１出力端子29から第２のデジタル信号S4を出力するようにしている。
【００５７】
制御回路55は、システムクロック信号S7に同期した各種の制御信号を生成してＡ／Ｄ変換回路８及びスイッチ10,19〜27,37〜45を制御するようにしている。ここで、制御回路55が生成する制御信号としては、Ａ／Ｄ変換回路８を駆動するためのＡ／Ｄクロック信号S8、Ａ／Ｄ変換回路８での変換を開始するためのスタートフラグ信号S9、スイッチ10,19〜27,37〜45を断続制御するためのスイッチ制御信号S10〜S28、レジスタ46〜54にデータを書き込むためのライトイネーブル信号S29〜S37がある。
【００５８】
また、制御回路55は、レジスタを内蔵しており、図４に示すように、このレジスタで記憶されている値に応じて各種の制御信号を所定のタイミングで生成するようにしている。
【００５９】
たとえば、レジスタに２進数の「０００」が記憶されている場合には、チャネル０入力端子９に入力された第１のアナログ信号S1を2.112MHzのサンプリングレートでＡ／Ｄ変換してレジスタ46に格納するとともにチャネル０出力端子28から第１のデジタル信号S3を出力し、一方、チャネル１入力端子11〜チャネル８入力端子18に入力された第２のアナログ信号S2などを132kHzのサンプリングレートでＡ／Ｄ変換してレジスタ47〜54に格納するとともにチャネル１出力端子29〜チャネル８出力端子36から第２のデジタル信号S4などを出力するようにしている。
【００６０】
そして、可変Ａ／Ｄ変換回路２は、図５に示すように、スタートフラグ信号S9の立上がりでＡ／Ｄ変換を行い、ライトイネーブル信号S29〜S37の立上がりでレジスタ46〜54にデータを格納するとともにチャネル０出力端子28〜チャネル８出力端子36から出力するようにしている。
【００６１】
次に、信号生成回路３の構成について説明すると、図６に示すように、信号生成回路３は、第１のピークホールド回路56と第２のピークホールド回路57とレベル調整回路58とコンパレータ回路59とで構成している。
【００６２】
第１のピークホールド回路56は、入力信号S38（第１のデジタル信号S3又は第２のデジタル信号S4）に対する追従性が速い、すなわち、入力信号S38の上昇時及び下降時の両方ともにおいて入力信号S38の変化に短時間で追従できる回路構成となっており、入力信号S38の上限とほぼ同一の検出信号S39を出力するようになっている（図７〜図９の(a)及び(b)参照）。
【００６３】
一方、第２のピークホールド回路57は、入力信号S38に対する追従性が遅い、すなわち、入力信号S38の上昇時及び下降時の両方ともにおいて入力信号S38の変化に所定時間（チャージ時間及びディスチャージ時間）を要して追従する回路構成となっており、入力信号S38よりも緩慢に上昇又は下降する検出信号S40を出力するようになっている（図７〜図９の(a)及び(c)参照）。
【００６４】
また、レベル調整回路58は、第２のピークホールド回路57で検出された検出信号S40を１／ｎに分圧する回路であり、ここでは、検出信号S40を１／２に分圧した検出信号S41を出力するようになっている（図７〜図９の(d)参照）。
【００６５】
また、コンパレータ回路59は、第１のピークホールド回路56で検出された検出信号S39と第２のピークホールド回路57で検出された検出信号S40をレベル調整回路58で分圧した検出信号S41とを比較し、検出信号S39のほうが大きい場合には「Ｌ」レベルの信号を出力信号S42（第１の再生信号S5又は第２の再生信号S6）として出力する一方、検出信号S39のほうが小さい場合には「Ｈ」レベルの信号を出力信号S42として出力するようになっている（図７〜図９の(e)参照）。
【００６６】
そして、信号生成回路３を上記のように構成すると、入力信号S38としてデータ記録領域上の信号に基づく第１のデジタル信号S3を用いた場合には、第１の再生信号S5としてディフェクト信号が出力信号S42として生成され、一方、入力信号S38としてバーストカッティング領域上の信号に基づく第２のデジタル信号S4を用いた場合には、第２の再生信号S6としてバーストカッティング領域信号が出力信号S42として生成される。
【００６７】
しかも、信号生成回路３を上記のように構成することによって、再生時に明欠陥が発生しても、誤ったディフェクト信号が生成されてしまうのを未然に防止することができる。
【００６８】
すなわち、信号生成回路３は、暗欠陥の場合には、図７に示すように、欠陥部分で検出信号S39が検出信号S41よりも小さくなるために（図７(d)参照）、欠陥部分で正確なディフェクト信号（S42）が生成される（図７(e)参照）。
【００６９】
また、インタラプションの場合には、図８に示すように、常に検出信号S39が検出信号S41よりも大きくなってしまい（図８(d)参照）、常にディフェクト信号（S42）が「Ｌ」レベルの信号となる（図８(e)参照）。
【００７０】
また、明欠陥の場合には、図９に示すように、常に検出信号S39が検出信号S41よりも大きくなってしまい（図９(d)参照）、常にディフェクト信号（S42）が「Ｌ」レベルの信号となる（図９(e)参照）。
【００７１】
このように、従来のディフェクト信号生成回路では、明欠陥時にディフェクト信号が誤って「Ｈ」レベルの信号となっていたが、上記信号生成回路３によれば、明欠陥時にディフェクト信号が誤って「Ｈ」レベルの信号となることがなくなる。
【００７２】
しかしながら、上記信号生成回路３では、インタラプション時及び明欠陥時において正確なディフェクト信号を生成しているわけではない。
【００７３】
そこで、インタラプション時及び明欠陥時においても正確なディフェクト信号を生成することができる回路構成とした信号生成回路3'について以下に説明する。
【００７４】
信号生成回路3'は、前記信号生成回路３の第１のピークホールド回路56と第２のピークホールド回路57とレベル調整回路58とコンパレータ回路59に加えて、第１及び第２のボトムホールド回路60,62と第１及び第２の差分回路61,63とを有した構成としている。
【００７５】
第１のボトムホールド回路60は、入力信号S38（第１のデジタル信号S3又は第２のデジタル信号S4）に対する追従性が速い、すなわち、入力信号S38の上昇時及び下降時の両方ともにおいて入力信号S38の変化に短時間で追従できる回路構成となっており、入力信号S38の下限とほぼ同一の検出信号S43を出力するようになっている（図11〜図13の(a)及び(b)参照）。
【００７６】
また、第１の差分回路61は、第１のピークホールド回路56で検出された検出信号S39と第１のボトムホールド回路60で検出された検出信号S43との差を検出して、それを検出信号S44として出力するようになっている（図11〜図13の(a)及び(b)参照）。
【００７７】
一方、第２のボトムホールド回路62は、入力信号S38に対する追従性が遅い、すなわち、入力信号S38の上昇時及び下降時の両方ともにおいて入力信号S38の変化に所定時間（チャージ時間及びディスチャージ時間）を要して追従する回路構成となっており、入力信号S38よりも緩慢に上昇又は下降する検出信号S45を出力するようになっている（図11〜図13の(a)及び(c)参照）。
【００７８】
また、第２の差分回路63は、第２のピークホールド回路57で検出された検出信号S40と第２のボトムホールド回路62で検出された検出信号S45との差を検出して、それを検出信号S46として出力するようになっている（図11〜図13の(d)参照）。
【００７９】
また、レベル調整回路58は、第２の差分回路63で検出された検出信号S46を１／ｎに分圧する回路であり、ここでは、検出信号S46を１／２に分圧した検出信号S41を出力するようになっている（図11〜図13の(e)参照）。
【００８０】
また、コンパレータ回路59は、第１の差分回路61で検出された検出信号S44と第２の差分回路63で検出された検出信号S46をレベル調整回路58で分圧した検出信号S41とを比較し、検出信号S44のほうが大きい場合には「Ｌ」レベルの信号を出力信号S42（第１の再生信号S5又は第２の再生信号S6）として出力する一方、検出信号S44のほうが小さい場合には「Ｈ」レベルの信号を出力信号S42として出力するようになっている（図11〜図13の(f)参照）。
【００８１】
そして、信号生成回路3'を上記のように構成しても、上記信号生成回路３と同様に、入力信号S38としてデータ記録領域上の信号に基づく第１のデジタル信号S3を用いた場合には、第１の再生信号S5としてディフェクト信号が出力信号S42として生成され、一方、入力信号S38としてバーストカッティング領域上の信号に基づく第２のデジタル信号S4を用いた場合には、第２の再生信号S6としてバーストカッティング領域信号が出力信号S42として生成される。
【００８２】
しかも、信号生成回路3'を上記のように構成した場合には、暗欠陥時のみならず、インタラプション時及び明欠陥時においても正確なディフェクト信号を生成することができる。
【００８３】
すなわち、信号生成回路3'は、暗欠陥の場合には、図11に示すように、欠陥部分で検出信号S44が検出信号S41よりも小さくなるために（図11(e)参照）、欠陥部分で正確なディフェクト信号（S42）が生成される（図11(f)参照）。
【００８４】
また、インタラプションの場合にも、図12に示すように、欠陥部分で検出信号S44が検出信号S41よりも小さくなるために（図12(e)参照）、欠陥部分で正確なディフェクト信号（S42）が生成される（図12(f)参照）。
【００８５】
また、明欠陥の場合にも、図13に示すように、欠陥部分で検出信号S44が検出信号S41よりも小さくなるために（図13(e)参照）、欠陥部分で正確なディフェクト信号（S42）が生成される（図13(f)参照）。
【００８６】
このように、上記信号生成回路3'によれば、あらゆる欠陥に対しても正確なディフェクト信号を生成することができる。
【図面の簡単な説明】
【００８７】
【図１】再生回路を示すブロック図。
【図２】記録媒体を模式的に示す説明図。
【図３】可変Ａ／Ｄ変換回路を示すブロック図。
【図４】スイッチの制御を示すタイミングチャート。
【図５】可変Ａ／Ｄ変換回路の動作を示すタイミングチャート。
【図６】信号生成回路を示すブロック図。
【図７】暗欠陥時の検出信号を示す説明図。
【図８】インタラプション時の検出信号を示す説明図。
【図９】明欠陥時の検出信号を示す説明図。
【図１０】他の信号生成回路を示すブロック図。
【図１１】暗欠陥時の検出信号を示す説明図。
【図１２】インタラプション時の検出信号を示す説明図。
【図１３】明欠陥時の検出信号を示す説明図。
【図１４】従来のディフェクト信号生成回路を示すブロック図。
【図１５】暗欠陥時の検出信号を示す説明図。
【図１６】インタラプション時の検出信号を示す説明図。
【図１７】明欠陥時の検出信号を示す説明図。
【符号の説明】
【００８８】
１  再生回路
２  可変Ａ／Ｄ変換回路
3,3'  信号生成回路
４  記録媒体
５  第１の記録領域
６  第２の記録領域
８  Ａ／Ｄ変換回路
10  第１のスイッチ
19  第２のスイッチ
55  制御回路
56  第１のピークホールド回路
57  第２のピークホールド回路
58  レベル調整回路
59  コンパレータ回路
60  第１のボトムホールド回路
61  第１の差分回路
62  第2のボトムホールド回路
63  第2の差分回路
S1  第１のアナログ信号
S2  第２のアナログ信号
S3  第１のデジタル信号
S4  第２のデジタル信号
S5  第１の再生信号
S6  第２の再生信号
【図１】
2005050483.tif 000003
【図２】
2005050483.tif 000004
【図３】
2005050483.tif 000005
【図４】
2005050483.tif 000006
【図５】
2005050483.tif 000007
【図６】
2005050483.tif 000008
【図７】
2005050483.tif 000009
【図８】
2005050483.tif 000010
【図９】
2005050483.tif 000011
【図１０】
2005050483.tif 000012
【図１１】
2005050483.tif 000013
【図１２】
2005050483.tif 000014
【図１３】
2005050483.tif 000015
【図１４】
2005050483.tif 000016
【図１５】
2005050483.tif 000017
【図１６】
2005050483.tif 000018
【図１７】
2005050483.tif 000019